(57)【要約】【課題】部品点数が少なく分解・組立の簡単な管継手。【解決手段】  この管継手は、ソケット本体（１６）と、該ソケット本体に設定されたプラグ施錠部材（１８）と、施錠操作部材（２０）とを有するソケット（１２）と、ソケットに挿入されるプラグ（１４）を有する。プラグは係止部（１４ｃ）を有し、プラグ施錠部材（１８）に係合された状態で、施錠操作部材（２０）が施錠位置とされたときに、プラグがソケットから引き出されるのを阻止する。施錠操作部材は、その挿通孔（２０ｇ）がソケット本体の取付用突起（２４）の頭部（２４ｃ）を軸線方向で通って軸部（２４ｂ）の周りの位置となるのを可能とする操作部材取付位置を有し、軸部の周りで回動してプラグ設定位置としたときに、挿通孔は頭部を軸線の方向で挿通させることができないような形状とされており、プラグ施錠部材の両端部と係合して施錠操作部材をプラグ設定位置に係止するための係止部を有している。【選択図】          図９
2014142011.tif 000002
【特許請求の範囲】
【請求項１】
ソケットと、該ソケットに挿入連結されるプラグとからなる管継手におけるソケットにおいて、
プラグを受け入れる筒状のソケット本体であって、周方向で間隔をあけて設けられ当該ソケット本体を半径方向で貫通するようにされた２つの開口を有するソケット本体と、
該ソケット本体の周りを周方向で延びて該ソケット本体を囲むように設定されたプラグ施錠部材であって、該ソケット本体の周りで該ソケット本体の周方向で相互に対向するようにされた両端部分と、当該プラグ施錠部材における該両端部分の一方から他方に至る部分において該２つの開口を通り、該ソケット本体の内周面の内側に入るプラグ施錠部であって、該ソケット本体に挿入されたプラグの外周面と係合して該プラグを該ソケット内に保持するためのプラグ施錠部とを有するプラグ施錠部材と、
該プラグ施錠部材の相互に対向する該両端部分の間で、当該ソケット本体の半径方向に延びる軸線の周りで回動可能に設定された施錠操作部材であって、該ソケット本体に挿入されるプラグによって該プラグ施錠部が相互に離れるように変位されるときに該両端部分が相互に離れるのを許容するプラグ設定位置と、該ソケット本体に挿入されたプラグに係合して該プラグを該ソケット内に保持するようにされた該プラグ施錠部材の両端部分が相互に離れる方向で変位するのを阻止する施錠位置との間で回動可能とされた施錠操作部材と、
を有し、
該ソケット本体は、該プラグ施錠部材の該両端部分の間で該ソケット本体の外周面から半径方向外側に突出する軸部と、該軸部の半径方向外側先端に設けられ該軸部の先端から該軸部の軸線に対する横断方向外側に延出する部分を有する頭部とを備える第１の取付用突起を有し、
該施錠操作部材は、該頭部を該軸部の該軸線の方向で挿通可能とした挿通孔と、該挿通孔の周りの環状のハブ部分と、該ハブ部分の直径方向で対向する位置から延びる一対のアーム部分とを有し、該一対のアーム部分が該ハブ部分から半径方向外側に間隔をあけて該軸線の周りの時計方向及び反時計方向の一方に延びるようにされた周方向部分を有し、該プラグ施錠部材のプラグ施錠部が該ソケットに挿入されたプラグの外周に係合された状態で、該施錠操作部材が該軸部の該軸線の周りで時計方向及び反時計方向の該一方に回動されることにより該施錠位置となったときに、該アーム部分の該周方向部分が該プラグ施錠部材の両端部分の半径方向外側位置となり、該両端部分が相互に離れるように動くのを阻止するようになされており、
該施錠操作部材は、該挿通孔が該第１の取付用突起の該頭部を該軸部の該軸線方向で通って該軸部の周りの位置となり、当該施錠子操作部材が該軸部の周りで回動可能に設定されるのを可能とする操作部材取付位置を有し、該軸部の周りに設定された状態で、該軸線の周りで回動して該操作部材取付位置から該プラグ設定位置としたときに、該挿通孔は該頭部を該軸線の方向で挿通させることができないような形状とされており、且つ、該ハブ部の外周縁は該プラグ施錠部材の該両端部と係合して該施錠操作部材を該プラグ設定位置に係止するための係止部を有している、管継手のソケット。
【請求項２】
該係止部は、該ハブ部の外周縁に形成された凹部を有し該プラグ施錠部材の該両端部を受け入れるようにした請求項１に記載の管継手のソケット。
【請求項３】
該第１の取付用突起の該頭部の横断面が非円形とされ、該挿通孔の横断面が該頭部の横断面に対する補完的形状とされている請求項１又は２に記載の管継手のソケット。
【請求項４】
該第１の取付用突起の該軸部が横断面円形とされ、該頭部が該軸部のよりも直径の大きい円弧状縁と、該円弧状縁から半径方向内側に凹んだ少なくとも１つの凹部縁とを有し、該挿通孔の横断面が該円弧状縁に対応する円弧状部分と該凹部縁に対応する凸部を有する請求項１乃至３のいずれか一項に記載の管継手のソケット。
【請求項５】
該ソケット本体は、その外周面上で該第１の取付用突起から当該ソケット本体の直径方向反対側の位置に、該ソケット本体の該直径方向に延びる軸線に沿って外側に延びる軸部と該軸部よりも横断面が大きい頭部とからなる第２の取付用突起を有し、
該プラグ施錠部材は、２つある該プラグ施錠部の間の位置に設けられ該第２の取付用突起の該頭部を該第２の取付用突起の軸線の方向で挿通可能とした取付用孔と、該プラグ施錠部材に取り付けられた施錠部材取付具であって、該取付用孔を該第２の取付用突起の該頭部を通して該第２の取付用突起の該軸部の周りの位置としたときに、該第２の取付用突起の該軸部の周り係合し、該取付用孔が該第２の取付用突起の該軸線に沿って外側に変位しようとしたときに該第２の取付用突起の該頭部に係合して該変位を阻止する施錠部材取付具とを有する請求項１乃至４のいずれか一項に記載の管継手のソケット。
【請求項６】
該施錠部材取付具が、該第２の取付用突起の該軸部の両側を、それぞれ該軸部の接線方向に延びる一対の細長い固定部を有する全体的に略U字形とされた部材で、該取付用孔が該第２の取付用突起の該軸線に沿って外側に変位しようとしたときに該第２の取付用突起の該頭部に係合して該変位を阻止するようになされており、該固定部は相互に近づく方向で付勢されており、該施錠部材取付具が該略U 字形の開放端方向若しくはその逆方向に変位されることにより、相互に離れて該頭部との該係合が生じないようにされている請求項５に記載のソケット。
【請求項７】
請求項１乃至６のいずれか一項に記載のソケットと、該ソケットに挿入され連結されるプラグとを有する管継手。
【請求項８】
該プラグは、該プラグ施錠部材の該プラグ施錠部の間を前進可能な小径の前端部と、該前端部に続き後方にいくに従って直径が大きくなり該プラグ施錠部を押しひらきながら前進可能なテーパ部と、該テーパ部に続いた位置で直径が該テーパ部の後端より小さく該前端部よりも大きい係止部とを有し、該係止部は、該プラグが該ソケットに挿入され嵌合された状態において、該プラグ施錠部材のプラグ施錠部が係合して、該プラグが該ソケット本体から引き出されるのを阻止するとともに、該プラグ施錠部を該施錠操作部材の該係止部から離して該施錠操作部材が該施錠位置に回動可能とされた請求項７に記載の管継手。
【発明の詳細な説明】
【技術分野】
【０００１】
本発明は、管継手に関し、特に食品用配管に適した管継手及びそれを構成するソケット（雌型継手部材）に関する。
【背景技術】
【０００２】
食品や飲料を流す配管は雑菌が繁殖生じやすいために、通常、使用する毎に分解して洗浄を行う必要があり、そのために配管を分解しやくする必要がある。
【０００３】
このため、食品用配管では、管端部のフランジを付き合わせ、これをボルトナットにより締め付ける一般的フランジ管継手ではなく、管端部のフランジの周囲に一対の半円状クランプ部材を一端で枢着したクランプをまわし、両半円状クランプ部材の自由端側を相互に引きつけるようにして締め付ける管継手が広く用いられているが、食品用配管では連結／連結解除（分解）が頻繁であるために、より容易に連結及び連結解除（分解）作業ができるようにすることが求められている。
【０００４】
このような要求に対応して、管の連結／連結解除作業をしやすくするための管継手が開発されてきている。例えば、特許文献１及び２には、連結される管端の一方に取り付けるソケット（雌型継手部材）と、他方に取り付けられて該ソケットに挿入嵌合されるプラグ(雄型継手部材)とからなる管継手であって、ソケットにはその周りに周方向に配置され、該ソケットの直径方向両側に延びる弾性を有する細長いプラグ施錠部を有する全体として略U字状の施錠部材を取り付け、該プラグ施錠部を当該ソケットの両側面に設けた開口を通して該ソケットの内部に臨ませ、プラグをソケットに挿入するときには、該プラグが上記プラグ施錠部が相互に離れるように押しのけながら挿入され、挿入が完了したときに、該プラグの外周面に設けた環状の溝に該プラグ施錠部が係合するようにし、その状態で当該連結される管端の周りを覆うカバーを取り付けて、該プラグ施錠部が相互に離れないようにしたものが開示されている。しかし、それらの管継手はいずれも部品点数が多く、食品や飲料分野の管継手において求められる分解のしやすさ、洗浄のしやすさという点を十分に満していない。
【０００５】
これに対して本願発明者は、同様に一対のプラグ施錠部を備える略U字状の施錠部材を用いた管継手ではあるが、上述のようなカバー部材を用いずに、プラグがソケットに挿入されたときに、施錠部材の両プラグ施錠部の先端部分を相互に連結／連結解除するために回転可能とした施錠操作部材をソケットに設けた管継手を提案している。この管継手は、前述の特許文献１及び２等に開示されたものに較べて、部品点数が少なく、簡単な操作で連結／連結解除が可能で、洗浄のしやすいものとなっている（特許文献３）。
【先行技術文献】
【特許文献】
【０００６】
【特許文献１】特開２００６−２２６５３２号公報
【特許文献２】特開２００４−１２５１５８号公報
【特許文献３】特開２０１１−７３０３号
【発明の開示】
【発明が解決しようとする課題】
【０００７】
本発明は、特許文献３に開示されたものに更に改良を加えたもので、より簡単な操作で連結／連結解除が可能で、部品点数も少なく洗浄のしやすい管継手を提供することを目的とする。
【課題を解決するための手段】
【０００８】
すなわち、本発明は、
ソケットと、該ソケットに挿入連結されるプラグとからなる管継手におけるソケットにおいて、
プラグを受け入れる筒状のソケット本体であって、周方向で間隔をあけて設けられ当該ソケット本体を半径方向で貫通するようにされた２つの開口を有するソケット本体と、
該ソケット本体の周りを周方向で延びて該ソケット本体を囲むように設定されたプラグ施錠部材であって、該ソケット本体の周りで該ソケット本体の周方向で相互に対向するようにされた両端部分と、当該プラグ施錠部材における該両端部分の一方から他方に至る部分において該２つの開口を通り、該ソケット本体の内周面の内側に入るプラグ施錠部であって、該ソケット本体に挿入されたプラグの外周面と係合して該プラグを該ソケット内に保持するためのプラグ施錠部とを有するプラグ施錠部材と、
該プラグ施錠部材の相互に対向する該両端部分の間で、当該ソケット本体の半径方向に延びる軸線の周りで回動可能に設定された施錠操作部材であって、該ソケット本体に挿入されるプラグによって該プラグ施錠部が相互に離れるように変位されるときに該両端部分が相互に離れるのを許容するプラグ設定位置と、該ソケット本体に挿入されたプラグに係合して該プラグを該ソケット内に保持するようにされた該プラグ施錠部材の両端部分が相互に離れる方向で変位するのを阻止する施錠位置との間で回動可能とされた施錠操作部材と、
を有し、
該ソケット本体は、該プラグ施錠部材の該両端部分の間で該ソケット本体の外周面から半径方向外側に突出する軸部と、該軸部の半径方向外側先端に設けられ該軸部の先端から該軸部の軸線に対する横断方向外側に延出する部分を有する頭部とを備える第１の取付用突起を有し、
該施錠操作部材は、該頭部を該軸部の該軸線の方向で挿通可能とした挿通孔と、該挿通孔の周りの環状のハブ部分と、該ハブ部分の直径方向で対向する位置から延びる一対のアーム部分とを有し、該一対のアーム部分が該ハブ部分から半径方向外側に間隔をあけて該軸線の周りの時計方向及び反時計方向の一方に延びるようにされた周方向部分を有し、該プラグ施錠部材のプラグ施錠部が該ソケットに挿入されたプラグの外周に係合された状態で、該施錠操作部材が該軸部の該軸線の周りで時計方向及び反時計方向の該一方に回動されることにより該施錠位置となったときに、該アーム部分の該周方向部分が該プラグ施錠部材の両端部分の半径方向外側位置となり、該両端部分が相互に離れるように動くのを阻止するようになされており、
該施錠操作部材は、該挿通孔が該第１の取付用突起の該頭部を該軸部の該軸線方向で通って該軸部の周りの位置となり、当該施錠子操作部材が該軸部の周りで回動可能に設定されるのを可能とする操作部材取付位置を有し、該軸部の周りに設定された状態で、該軸線の周りで回動して該操作部材取付位置から該プラグ設定位置としたときに、該挿通孔は該頭部を該軸線の方向で挿通させることができないような形状とされており、且つ、該ハブ部の外周縁は該プラグ施錠部材の該両端部と係合して該施錠操作部材を該プラグ設定位置に係止するための係止部を有している、管継手のソケットを提供する。
【０００９】
この管継手のソケットにおいては、施錠操作部材を操作部材取付位置として第１の取付用部の軸部の周りで回動可能となるように設定して、該軸部の周りでプラグ設定位置に回動させれば、その後にプラグを当該ソケットに挿入して、施錠操作部材を施錠位置に回動するときに、該施錠操作部材がソケット本体から外れる虞がない。前述した特許文献３の管継手においては、施錠操作部材をソケット本体から外れないようにするために取付ピンを必要としたが、そのような取付ピンの必要がなく、従って、部品点数が少なく、当該ソケット本体及び施錠操作部材を組み立ててソケットとする作業及びそれを分解する作業が容易になる。更に、上記取付ピンなどのように、当該ソケットの洗浄などの際に取り外す必要のある小さな部品がないため、それら小さな部品を取り外した際に生じる紛失の虞をなくすことができる。
【００１０】
上記ソケットにおける上記係止部は、上記ハブ部の外周縁に形成された凹部を有し上記プラグ施錠部材の両端部を受け入れるようにすることができる。
【００１１】
この係止凹部においてプラグ施錠部の両端部を受け入れることにより当該施錠操作部材の回動を阻止して該施錠操作部をプラグ設定位置に係止するものである。
【００１２】
上記第１の取付用突起の頭部の横断面が非円形とされ、上記挿通孔の横断面が該頭部の横断面に対する補完的形状とされたものとすることができる。
【００１３】
上記第１の取付用突起の軸部が横断面円形とされ、上記頭部が該軸部よりも直径の大きい円弧状縁と、該円弧状縁から半径方向内側に凹んだ少なくとも１つの凹部縁とを有し、上記挿通孔の横断面が該円弧状縁に対応する円弧状部分と上記凹部縁に対応する凸部部を有するようにすることができる。
【００１４】
上記ソケット本体は、その外周面上で上記第１の取付用突起から当該ソケット本体の直径方向反対側の位置に、該ソケット本体の該直径方向に延びる軸線に沿って外側に延びる軸部と該軸部よりも横断面が大きい頭部とからなる第２の取付用突起を有し、
上記プラグ施錠部材は、２つある上記プラグ施錠部の間の位置に設けられ第２の取付用突起の頭部を第２の取付用突起の軸線の方向で挿通可能とした第２の挿通孔と、該第２の挿通孔を第２の取付用突起の頭部を通して第２の取付用突起の軸部の周りの位置としたときに、第２の取付用突起の軸部の周り係合し、第２の挿通孔が第２の取付用突起の軸線に沿って外側に変位しようとしたときに第２の取付用突起の頭部に係合して該変位を阻止する施錠部材取付具とを有するようにすることができる。
【００１５】
上記プラグ施錠部材取付具が、上記第２の取付用突起の軸部の両側を、それぞれ該軸部の接線方向に延びる一対の細長い固定部を有する全体的に略U字形とされた部材で、該第２の挿通孔が該第２の取付用突起の軸線に沿って外側に変位しようとしたときに第２の取付用突起の頭部に係合して該変位を阻止するようになされており、該固定部は相互に近づく方向で付勢されており、施錠部材取付具が上記略U 字形の開放端方向若しくはその逆方向に変位されることにより、相互に離れて上記頭部との係合が生じないようにすることができる。
【００１６】
本発明は、上記の如きソケットと、該ソケットに挿入され連結されるプラグとを有する管継手をも提供する。
【００１７】
具体的には、該プラグは、小径の前端部と、該前端部に続き後方に行くに従って径の大きくなるテーパ部と、該テーパ部に続いて直径が該テーパ部の後端より小さく該前端部よりも大きい係止部とを有し、該係止部は、該プラグが該ソケットに挿入され嵌合された状態において、該プラグ施錠部材のプラグ施錠部が係合して、該プラグが該ソケット本体から引き出されるのを阻止するとともに、該プラグ施錠部が該施錠操作部材の該係止部から離して該施錠操作部材が該施錠位置に回動可能とすることができる。
【００１８】
以下、本発明に係る管継手の実施形態を添付図面に基づき説明する。
【図面の簡単な説明】
【００１９】
【図１Ａ】本発明に係る管継手の平面図であり、該管継手を構成するソケットとプラグとが分離されており、ソケットの施錠操作部材がプラグ設定位置にある状態を示す。
【図１Ｂ】図１Ａの１Ｂ-１Ｂ線断面図である。
【図２Ａ】プラグがソケットに挿入された状態を示す平面図である。
【図２Ｂ】図２Ａの２Ｂ-２Ｂ線断面図を反時計方向で９０°回転させて示した図である。
【図３Ａ】プラグがソケットに挿入され、施錠操作部材が施錠位置とされた状態を示す平面図である。
【図３Ｂ】図３Ａの３Ｂ-３Ｂ線断面図を反時計方向で９０°回転させて示した図である。
【図４Ａ】プラグがソケットに挿入された状態で、施錠操作部材が開放位置とされた状態を示す平面図である。
【図４Ｂ】図４Ａの４Ｂ-４Ｂ線断面図である。
【図５】ソケット本体及びプラグの断面側面図である。
【図６】ソケット本体の平面図である。
【図７】ソケット本体に取り付けられるプラグ施錠部材の斜視図である。
【図８】図５のプラグの右側面図である。
【図９】ソケット本体にプラグ施錠部材と取り付けるための手順を示す図であり、（Ａ）は施錠操作部材をソケット本体に取り付けた直後の状態を示し、（Ｂ）は施錠操作部材を、プラグ施錠部材をソケット本体に取り付けるための位置に回動した状態を示し、（Ｃ）はプラグ施錠部材をソケット本体の下方から挿入して取り付ける状態を示し、（Ｄ）はプラグ施錠部材をソケット本体に取り付けた状態を示している。
【図１０】施錠操作部材の平面図である。
【図１１】図５のソケット本体の右側面図である。
【図１２】ソケット本体の頂部に設けられた取付用突起の頭部の平面図である。
【図１３】プラグ施錠部材をソケット本体の底部に設けられた取付用突起も装着するための構造を示す図であり、（Ａ）は施錠部材取付具がプラグ施錠部材をソケット本体から外れないようにする位置にある状態を示し、（Ｂ）は施錠部材取付具を変位させてプラグ施錠部材がソケット本体から外れるようにした位置にある状態を示している。
【発明を実施するための最良の形態】
【００２０】
図１A、図１Bに示すように、本発明に係る管継手１０は、ソケット１２と、該ソケットに挿入連結されるプラグ１４とからなる。ソケット１２及びプラグ１４は、それぞれの後端部に管Ｔが連結される。
【００２１】
ソケット１２は、プラグ１４を受け入れるソケット本体１６(図１A、図１B、図５、図６)と、該ソケット本体の周りを周方向で延びて該ソケット本体を囲むように設定されたプラグ施錠部材１８（図１B、図７）と、ソケットに対するプラグの連結／連結解除を行うために該プラグ施錠部材１８を操作するための施錠操作部材２０(図１A、図１B、図９、図１０)とを有する。
【００２２】
ソケット本体１６は、図５及び図６に示すように全体として筒状の部材とされ、その先端からプラグ１４を受け入れる大径の受入部１６ａから後端まで延びる貫通孔１６ｂを有する。
【００２３】
受入部１６ａを画定している周壁１６ｃには、その左右側部に細長い開口１６ｄ、１６ｄが周方向で相互に整合され、且つ、周壁１６ｃを半径方向で貫通するように設けられている。
【００２４】
図１B及び図７に示すように、プラグ施錠部材１８は、細長い板バネ材から形成されて、全体として略Ｕ字状にされており、中央下部部分１８ｂは取付用孔１８ｄを有し、該取付用孔１８ｄに、ソケット本体１６の外周面に設けられて当該ソケット本体１６の半径方向外側に延びる取付用突起２２が通されてソケット本体１６に取り付けられ、ソケット本体１６の周方向で延びて、当該ソケット本体１６の頂部部分において両端部分１８ａ、１８ａが相互に対向するようにされている。プラグ施錠部材１８の中央下部部分１８ｂから両端部分１８ａ、１８ａに延びる部分は、ソケット本体１６の左右の開口１６ｄ、１６ｄを通り、その一部は周壁１６ｃの内周面１６ｆの内側に入るプラグ施錠部１８ｃ、１８ｃとされている。このプラグ施錠部１８ｃ、１８ｃは、受入部１６ａ内に挿入されるプラグ１４の小径の前端部１４ａが当該プラグ施錠部１８ｃ、１８ｃの間を通ることができる程度に相互に離されており、テーパ部１４ｂによって押し広げられると共に、プラグ１４のテーパ部１４ｂの後部に形成されている小径の係止部１４ｃに半径方向で整合すると該係止部１４ｃに係合して、プラグ１４をソケット本体１６内に施錠する。図示の例では、プラグ施錠部材１８の両端部分１８ａ、１８ａは、開口１６ｄ、１６ｄの上端部１６ｅ、１６ｅから上方に延び、その先端部分を外側にわずかに折り曲げた形状とされている。プラグ１４は、図５に示すプラグ１４の右側面図である図８から分かるように、係止部１４ｃの後側は略前端部１４ａと略同じ外径とされており、その外周面には３個の支持突起１４ｄが周方向で等間隔に設けられており、当該プラグ１４がソケット１２内に挿入嵌合されたときに、ソケット本体１６の受入部１６ａの内周面１６ｆと係合して、当該プラグ１４をソケット１２と軸線方向で整合した状態を保持できるようになっている。
【００２５】
施錠操作部材２０は、プラグ施錠部材１８の両端部分１８ａ、１８ａ間においてソケット本体１６の外周面に取付用突起２４によって回転可能に止められており、プラグ施錠部材１８の両端部分１８ａ、１８ａが半径方向外側に広がるのを阻止する施錠位置（図３Ａ、図３Ｂ）と、両端部分１８ａ、１８ａを相互に離す解放位置（図４Ａ、図４Ｂ）と、両端部分１８ａ、１８ａが相互に離れるのを許容するプラグ設定位置（図１Ａ〜図２Ｂ）との間で変位可能とされている。後述するが、プラグ設定位置は、プラグ１４がソケット本体の受入部１６ａ内に挿入されてきたときに、該プラグ１４のテーパ部１４ｂがプラグ施錠部１８ｃ、１８ｃを半径方向外側に押し出して受入部１６ａ内に進むのを可能にする位置であり、施錠位置（図３Ａ、図３Ｂ）は、プラグ１４がソケット本体内に挿入されたときに該プラグ１４の係止部１４ｃに係合したプラグ施錠部１８ｃ、１８ｃが該係止部１４ｃから外れるのを阻止し、プラグ１４が受入部１６ａ内に施錠されるようにするための位置である。解放位置（図４Ａ、図４Ｂ）はプラグ施錠部材１８の両端部分１８ａ、１８ａを押し広げることによりプラグ施錠部１８ｃ、１８ｃをプラグ１４の係止部１４ｃから外してプラグ１４をソケット１２から引き出すことを可能にするための位置である。
【００２６】
施錠操作部材２０は、具体的には、取付用突起２４の軸線２４ａを中心に回転可能とされたハブ部分２０ａと、該ハブ部分２０ａの直径方向で対向する位置から延びる一対のアーム部分２０ｂ、２０ｂとを有し、該アーム部分２０ｂ、２０ｂは、ハブ部分２０ａから半径方向外側に間隔をあけて軸線２４ａの周りの時計方向に延びるようにされた周方向部分２０ｃ、２０ｃを有する。周方向部分２０ｃ、２０ｃには、作業者が当該施錠操作部材２０を回動するときに指をかける突起２０ｆ、２０ｆが設けられている。
【００２７】
ハブ部分２０ａは、その中心に取付用突起２４を通すための挿通孔２０ｇを有する。図９の（Ａ）及び図１０に示すように挿通孔２０ｇは全体としては円形の横断面を有するが、同図で見て左右に突起部２０ｇ−１を有する。
【００２８】
取付用突起２４はソケット本体１６の半径方向の軸線２４ａ(図１、図２、図１１)に沿って延びる軸部２４ｂと該軸部の先端に形成された頭部２４ｃとを有している。軸部２４ｂは横断面が円形とされ、頭部２４ｃは全体的に軸部２４ｂよりも大きな横断面とされ、施錠操作部材２０の挿通孔２０ｇの横断面と補完的形状とされている。すなわち、図１２に示すように挿通孔２０ｇの円弧部２０ｇ−２(図１０)に対応する円弧状縁２４ｃ−１と挿通孔２０ｇの突起部２０ｇ−１に対応する凹部縁２４ｃ−２とを有する。
【００２９】
施錠操作部材２０は、挿通孔２０ｇが取付用突起２４の頭部２４ｃを通って軸部２４ｂの周りに回動可能に設定されるのを可能とする設定位置（すなわち、取付用突起２４の頭部２４ｃの凹部縁２４ｃ−２と対応する当該挿通孔２０ｇの内周面の突起部２０ｇ−１が取付用突起２４の頭部２４ｃの凹部縁２４ｃ−２と対応する位置）から、軸部２４ｂの周りで回動して該プラグ設定位置（図１Ａ、図９の（Ｂ））としたときには、挿通孔２０ｇの突起部２０ｇ−１が凹部縁２４ｃ−２との整合が外れ、頭部２４ｃを軸線方向で挿通させることができないようにされており、且つ、ハブ部分２０ａの外周縁２０ａ−１には、プラグ施錠部材１８の両端部１８ａをそれぞれ受け入れて施錠操作部材２０がプラグ設定位置から回動するのを阻止する凹部２０ｈを有している。
【００３０】
施錠操作部材２０がプラグ設定位置（図１Ａ、図９の（Ｂ））にあるときに、プラグ１４がソケット本体１６の受入部１６ａ内に挿入されて、プラグ１４の係止部１４ｃにプラグ施錠部１８ｃ、１８ｃが嵌合した状態では、プラグ施錠部材１８の両端部分１８ａ、１８ａがハブ部分２０ａの凹部２０ｈ、２０ｈから外側にわずかに外れた状態となる（図２Ａ、図２Ｂ）。
【００３１】
この状態で、施錠操作部材２０を軸線２４ａの周りで時計方向に回動すると、アーム部分２０ｂ、２０ｂの周方向部分２０ｃ、２０ｃがプラグ施錠部材１８の両端部分１８ａ、１８ａの半径方向外側で該両端部分に隣接した状態となり、該両端部分が相互に離れるのを阻止する(図３Ａ、図３Ｂ)。この位置が施錠操作部材２０の上述の施錠位置であり、本実施形態においては、アーム部分２０ｂ、２０ｂの周方向部分２０ｃ、２０ｃの半径方向内側縁２０ｃ−１には、プラグ施錠部材１８の両端部分１８ａ、１８ａに係合して時計方向に回転するのを阻止する施錠部材係止部としての突起２０ｉ、２０ｉを有する。
【００３２】
施錠位置(図３Ａ)にある施錠操作部材２０の突起２０ｉ、２０ｉがプラグ施錠部材１８の両端部分１８ａ、１８ａと係合している側面２０ｊ、２０ｊ(図１０)は僅かな傾斜がつけられており、施錠操作部材２０を、一定以上の力で半時計方向に回動すると、この傾斜した側面２０ｊ、２０ｊがプラグ施錠部材１８の両端部分１８ａ、１８ａを半径方向内側に変位させながら回動する。これにより施錠操作部材２０が施錠位置（図３Ａ）から解放位置（図４Ａ）とされると、アーム部分２０ｂ、２０ｂの周方向部分２０ｃ、２０ｃがプラグ施錠部材１８の半径方向外側位置から外れ、ハブ部２０ａがプラグ施錠部材１８の両端部分１８ａ、１８ａに半径方向内側から係合して、両端部分１８ａ、１８ａを相互に引離し、プラグ施錠部材１８のプラグ施錠部１８ｃ、１８ｃが該プラグ１４の係止部１４ｃから半径方向外側に外れるようにする。
【００３３】
ハブ部分２０ａは、施錠操作部材２０が施錠位置（図３Ａ）から解放位置（図４Ａ）に回動されるときに、プラグ施錠部材１８の両端部分１８ａ、１８ａと係合する係合位置が、施錠操作部材２０の回動に伴って軸線２４ａから次第に離れるように輪郭付けられており、両端部分１８ａ、１８ａが施錠操作部材２０の解放位置への回動によって次第に相互に離されるようにされている。
【００３４】
図１３は、プラグ施錠部材１８をソケット本体１６の底部に設けられた取付用突起２２に対して取り付けるための構造を示している。すなわち、プラグ施錠部材１８の中央下部部分１８ｂは、図７に示すように、取付用孔１８ｄの両側に起立縁部１８ｅが設けられ、各起立縁部１８ｅには２つの開口１８ｆが設けられており、中央下部部分１８ｂには、全体的に略Ｕ字形とした、当該プラグ施錠部材を取付用突起２２に取り付けるための施錠部材取付具３０が取り付けられている。この施錠部材取付具３０は、細長いバネ部材を折り曲げて形成されたもので、バネ部材を長円形に曲げて形成した中央部分３０ａ及び該中央部分３０ａの両側から延びる一対の固定部３０ｂを有しており、該固定部３０ｂは一方の（図で見て上側の）起立縁部１８ｅの開口１８ｆを通され、更に他方の（図で見て下側の）起立縁部１８ｅの開口１８ｆを通され、その先端部分３０ｃが左右に開くようにされている。図１３の（Ａ）に示すように、固定部３０ｂは中央下部部分１８ｂに上記のようにして取り付けられたときには相互に略平行な状態とされて、当該固定部３０ｂにそれぞれ設けられた内向き湾曲部分３０ｄが中央下部部分１８ｂの取付用孔１８ｄと重なる状態とされる。この状態では、内向き湾曲部分３０ｄから先端部分３０ｃに至る傾斜部分３０ｅが下側の起立縁部１８ｅの開口１８ｆを斜めに通り該開口の縁と係合して、プラグ施錠部材１８の中央下部部分１８ｂに対する当該施錠部材取付具３０の位置を固定する。この状態では、中央部分３０ａはプラグ施錠部材１８の図で見て上側の起立縁部１８ｅから上方に離れた位置とされる（図１３の（Ｂ））。
【００３５】
取付用突起２２は、ソケット本体１６の頂部に設けられた取付用突起２４と同じ形状とされており、施錠部材取付具３０を図１Ｂに示すようにソケット本体１６に取り付けるために、図１３の（Ａ）に示す状態の施錠部材取付具３０を備えたプラグ施錠部材１８を、その取付用孔１８ｄを取付用突起２２に嵌合させると、該取付用突起２２の頭部２２ａ(図１Ｂ)が施錠部材取付具３０の内向き湾曲部分３０ｄを外側に押し出しながら進み、該取付用突起２２の軸部２２ｂが該施錠部材取付具３０に対応する位置となると、内向き湾曲部分３０ｄが元の内側の位置に動いて該軸部２２ｂの外周面と係合するようになり、従って、施錠部材取付具３０が取付用突起２２から外れない状態となる。
【００３６】
プラグ施錠部材１８をソケット本体１６から取り外すときには、プラグ１４をソケット１２から外した状態として、施錠部材取付具３０の中央部分３０ａを図１３の（Ｂ）に示すように押し込む。それにより施錠部材取付具３０の固定部３０ｂの傾斜部分３０ｅが図で見て下側の起立縁部１８ｅの開口１８ｆの縁部を摺動して当該固定部３０ｂが外側に開いて、固定部１８ｂの内向き湾曲部分３０ｄがプラグ施錠部材１８の取付用開口１８ｄの外側に変位し、当該プラグ施錠部材１８を取付用突起２２から外すのが可能となる。
【００３７】
以上、本発明に係る管継手の一実施形態につき説明したが、本発明はこれに限定されるものではない。例えば、施錠部材取付具３０は、図示の例ではプラグ施錠部材に押し込むようにすることにより固定部３０ｂが開くようにされているが、施錠部材取付具３０をプラグ施錠部材から引き抜く方向で変位させることにより固定部３０ｂを開くようにすることができる。
【符号の説明】
【００３８】
管継手１０；ソケット１２；プラグ１４；前端部１４ａ；テーパ部１４ｂ；係止部１４ｃ；ソケット本体１６；受入部１６ａ；貫通孔１６ｂ；周壁１６ｃ；開口１６ｄ；上端部１６ｅ；内周面１６ｆ；プラグ施錠部材１８；両端部分１８ａ、１８ａ；中央下部部分１８ｂ；プラグ施錠部１８ｃ；取付用孔１８ｄ；起立縁部１８ｅ；開口１８ｆ；施錠操作部材２０；ハブ部分２０ａ；外周縁２０ａ−１；アーム部分２０ｂ；周方向部分２０ｃ;
半径方向内側縁２０ｃ−１；挿通孔２０ｇ；突起部２０ｇ−１；円弧部２０ｇ−２；突起２０ｆ；凹部２０ｈ；突起２０ｉ；側面２０ｊ；取付用突起２２（特許請求の範囲の記載における第２の取付用突起）；頭部２２ａ；軸部２２ｂ；取付用突起２４（特許請求の範囲の記載における第１の取付用突起）；軸線２４ａ；軸部２４ｂ；頭部２４ｃ；円弧状縁２４ｃ−１；凹部縁２４ｃ−２；施錠部材取付具３０；；中央部分３０ａ；固定部３０ｂ；先端部分３０ｃ；内向き湾曲部分３０ｄ；傾斜部分３０ｅ；管Ｔ
【図１Ａ】
2014142011.tif 000003
【図１Ｂ】
2014142011.tif 000004
【図２Ａ】
2014142011.tif 000005
【図２Ｂ】
2014142011.tif 000006
【図３Ａ】
2014142011.tif 000007
【図３Ｂ】
2014142011.tif 000008
【図４Ａ】
2014142011.tif 000009
【図４Ｂ】
2014142011.tif 000010
【図５】
2014142011.tif 000011
【図６】
2014142011.tif 000012
【図７】
2014142011.tif 000013
【図８】
2014142011.tif 000014
【図９】
2014142011.tif 000015
【図１０】
2014142011.tif 000016
【図１１】
2014142011.tif 000017
【図１２】
2014142011.tif 000018
【図１３】
2014142011.tif 000019